(57)【要約】【解決手段】樹脂製品を生産するブロー成形金型装置１であって、型締め装置３を有する少なくとも１つの型締めフレーム２と、該型締めフレーム２の開閉動作によって一体に若しくは別々へと移動されるように形成され、前記樹脂製品を形成するための少なくとも１つのキャビティ８をそれぞれ有した少なくとも２つのブロー成形金型とを有してなり、前記型締め装置３は、それぞれ少なくとも１つの型支持部６を有し、該型支持部内に型挿入部７がそれぞれの場合に交換可能に挿入され、前記型支持部６はそれぞれ周辺密閉端部１０を形成する。【選択図】  図１
2013530857.tif 000002
【特許請求の範囲】
【請求項１】
樹脂製品を生産するブロー成形金型装置であって、型締め装置を有する少なくとも１つの型締めフレームと、該型締めフレームの開閉動作によって一体に若しくは別々へと移動されるように形成され、前記樹脂製品を形成するための少なくとも１つのキャビティをそれぞれ有した少なくとも２つのブロー成形金型とを有してなり、
前記型締め装置は、それぞれ少なくとも１つの型支持部を有し、該型支持部内に型挿入部がそれぞれの場合に交換可能に挿入され、前記型支持部はそれぞれ周辺密閉端部を形成することを特徴とするブロー成形金型装置。
【請求項２】
請求項１記載のブロー成形金型装置であって、前記型支持部の密閉端部は閉じる動作に垂直な平面で排他的に延長されることを特徴とするブロー成形金型装置。
【請求項３】
請求項１若しくは請求項２のいずれか記載のブロー成形金型装置であって、少なくとも１つの中央金型を有し、該中央金型は前記ブロー成形金型の開閉動作に関して横方向に移動することができ、前記型支持部の密閉端部に密着され得ることを特徴とするブロー成形金型装置。
【請求項４】
請求項１乃至請求項３のいずれか1項に記載のブロー成形金型装置であって、前記中央金型はそれぞれ１つの面内に延長され型支持部の密閉端部と共に動作する少なくとも２つの周辺密閉端部を有してなることを特徴とするブロー成形金型装置。
【請求項５】
請求項２若しくは請求項３記載のいずれか記載のブロー成形金型装置であって、前記中央金型は箱状のフレームとして形成され、好ましくは少なくとも１つの部品キャリアを有することを特徴とするブロー成形金型装置。
【請求項６】
請求項１若しくは請求項５記載のいずれか１項に記載のブロー成形金型装置であって、前記型支持部及び／又は前記中央金型はそれぞれ周辺弾性密閉部を有することを特徴とするブロー成形金型装置。
【請求項７】
請求項６に記載のブロー成形金型装置であって、前記密閉部は弾性を利用して能動的に変形され、好ましくは空圧で伸張し得るものであることを特徴とするブロー成形金型装置。
【請求項８】
請求項１若しくは請求項７記載のいずれか記載のブロー成形金型装置であって、型支持部は実質的に閉じられて形成され、好ましくは箱状とされ、型挿入部を囲み、該型支持部は好ましくは少なくとも１つの各型挿入部の背後の閉じたチャンバーを形成することを特徴とするブロー成形金型装置。
【請求項９】
請求項２若しくは請求項８記載のいずれか記載のブロー成形金型装置であって、前記中央金型の密閉端部は閉じる動作の際に若しくはその反動で出没動作できることを特徴とするブロー成形金型装置。
【請求項１０】
ブロー成形金型装置を用いて樹脂製品を生産する方法であって、型締め装置を有する少なくとも１つの型締めフレームと、少なくとも２つのブロー成形金型を有し、特に請求項１乃至請求項９のいずれか1項に従うブロー成形金型装置を用いるものであって、
少なくとも１つのプレフォームを熱可塑性樹脂材料から押出し、少なくとも２つの中間生成物をシェルの形状で形成して該シェルを閉じ好ましくは３次元周辺継ぎ目を備えて実質的に閉じた中空体を形成し、該シェルがそれぞれの場合、周辺カラー部と共に形成され、該周辺カラー部は実質的に排他的に１つの平面内で該製品の周辺部を越えて前記継ぎ目の外側に伸張してなることを特徴とする樹脂製品を生産する方法。
【請求項１１】
請求項１０記載の樹脂製品を生産する方法であって、前記シェルが形成された際に、ブロー成形金型のキャビティは前記周辺カラー部若しくは前記継ぎ目の外側で密閉されることを特徴とする樹脂製品を生産する方法。
【請求項１２】
請求項１１記載の樹脂製品を生産する方法であって、前記シェルの融着前に前記シェルの互いに向き合う壁に内部部品を結合させることを特徴とする樹脂製品を生産する方法。
【請求項１３】
請求項１１若しくは請求項１２記載の樹脂製品を生産する方法であって、前記内部部品の結合は前記型締めフレームの閉じる動作を利用して行われることを特徴とする樹脂製品を生産する方法。
【発明の詳細な説明】
【技術分野】
【０００１】
本発明は樹脂製品を生産するためのブロー成形金型装置に関する。
【０００２】
また、本発明は熱可塑性樹脂から燃料タンクを生産するためのブロー成形金型装置、及びこのようなブロー成形金型装置を用いた燃料タンクの生産方法に関する。
【背景技術】
【０００３】
樹脂により作られる燃料タンクにおいては、燃料ポンプ、給油レベル指示器、吸排気弁、内部バッファ及びその他のような内部部新を設けることが通常行われている。熱可塑性樹脂材料により形成された燃料タンクは、圧倒的にポリエチレンから生産される。ポリエチレンは炭化水素に対して完全には拡散の耐性を有しているものではなく、このため、樹脂製燃料タンクには大きく炭化水素を確実に不透浸性とさせる特別の手段を採る必要がある。これはフッ化処理若しくは硫化処理によって行われ、浸透への耐性は、高密度ポリエチレン系の多層樹脂の共押出物と例えばEVOHのようなバリア材料の内側層を有する共押出物とで形成されているタンク壁によって最大限に確保される。タンク壁の内側に先に述べた内部部品を取り付けるために、タンク壁に開口部や窓部を配設することがしばしば必要とされる。"燃料タンク"システムにおける高耐浸透性の目的で、タンク壁をできるだけそのままにしておくこと、若しくは設置した状況での自動車に要するインターフェイスを形成するのに絶対に必要なものとしてタンク壁に多くの窓部を配設することだけは望ましいものとされる。この理由で、熱可塑性樹脂材料で形成される燃料タンクは、押出ブロー成形によるその形成の間若しくは製造の間に内部部品が既に嵌合するものが増加している。内部部品は押出ブロー成形の間に未だ溶融しているタンク壁に既に結合してなる。
【０００４】
これに要する金型は、比較的に複雑であり、特にもし所謂"ツインシートブロー成形方法"が使用される場合、２つのブロー成形金型と中央金型若しくはコア部を有する３区分の金型を使用することを要する。中央金型若しくはコアは、金型の品質で作成する必要があり、特にもし空間的に複雑なデザインの燃料タンクを形成することを意図し、比較的に複雑な３次元の輪郭に沿ったタンクの継ぎ目を伴う場合、そのような金型への全体としての投資コストが相当なものとなってしまう。
【０００５】
それ故、本発明の目的は基本的に簡素な構造を有するブロー成形金型を提供することを目的とする。
【０００６】
さらに、本発明の目的は、対応して簡素化された押出ブロー成形の樹脂製品の製造方法、特に熱可塑性材料からの燃料タンクの製造方法を提供することを目的とする。
【０００７】
前記目的は、樹脂製品を生産するブロー成形金型装置であって、型締め装置を有する少なくとも１つの型締めフレームと、該型締めフレームの開閉動作によって一体に若しくは別々へと移動されるように形成され、前記樹脂製品を形成するための少なくとも１つのキャビティをそれぞれ有した少なくとも２つのブロー成形金型とを有してなり、前記型締め装置は、それぞれ少なくとも１つの型支持部を有し、該型支持部内に型挿入部がそれぞれの場合に交換可能に挿入され、前記型支持部はそれぞれ周辺密閉端部を形成するという事実を以て区別されるブロー成形金型装置により初めて達成される。
【０００８】
本発明のブロー成形金型装置は、キャビティを提供するのに使用される金型装置が従来のブロー成形金型装置の場合よりももっと簡単な形状にできるという利点を有する。本発明によれば、金型自体ではなく型支持部により金型のキャビティの密閉が行われ、前記金型装置が変えられ、若しくは前記ブロー成形金型が異なる製品に転換される際に、型挿入部だけが交換されるものとなる。更に、特に試験プラント生産や小規模生産に対して、本発明のブロー成形金型装置の場合には、交換可能な型挿入部がさらに短い準備時間で安価な試験金型として使用できることが利点となる。前記型支持部は標準化でき、キャビティの密閉は標準化した型支持部によって行うことができる。本発明のブロー成形金型装置の好適な変形例においては、型支持部の密閉端部は閉じる動作に垂直な平面内に排他的に延長され、型支持部によって決められた金型の分割面の輪郭は実質的に 2次元となる。
【０００９】
本発明の従う金型装置では、型の初期若しくは最初閉込の際、型のキャビティの密閉は１つの平面、すなわち 2次元的な型支持部の密閉端部によって行われるように構成されていることに、本発明は要約されるものである。シェルを一緒に溶融して更なる製法工程で仕上げられた中空体を形成して更に金型を閉じることは、型挿入部の、対応して形成された閉じ込み端部や把持端部によって行われる。
【００１０】
本発明に従うブロー成形金型装置の特に好ましい構造においては、ブロー成形金型の開閉動作に関して横方向に移動でき、型支持部の密閉端部に密閉した接続を行うことができる、少なくとも１つの中央金型によって特徴づけられるものである。
【００１１】
もし特に型支持部の密閉端部が閉じる動作に垂直な面で伸張する（２次元の）場合、中央金型は対応して簡素な構造のものとなり得る。この目的のため、中央金型はそれぞれの場合に１つの平面内に延長してなる少なくとも２つの周辺密閉端部を有し、それらは型支持部の密閉端部一緒に動作する。
【００１２】
もっとも簡素化された場合、中央金型は箱状のフレームとして形成することができ、該フレームは少なくとも１つの部品キャリアを有する。例えば、この部品キャリアは物品に特別な部品挟持プレートとして形成することができ、例えば内部部品を製造すべき燃料タンクに導入するための結合ユニットをその上に配設することもできる。
【００１３】
また、型支持部は周辺弾性密閉部をそれぞれ有していることが好ましい。
【００１４】
巻き取り若しくはシート状のプレフォ−ムが最初の製法工程でブロー成形金型内に形成される押出ブロー成形方法を用いる際で、これらのプレフォームがその次の製法工程で合わされて溶融されて仕上げられた中空体に形成される。この場合、ブロー成形金型装置のキャビティは型支持部の密閉端部を中央金型の密閉端部に当接させて初めて密閉される。この点は、原則的に弾性の密閉手段がなくても可能であるが、周辺弾性密閉部を使用することでキャビティを密閉するのに追加的な利点があり、特に押し出されてブロー成形金型間に持ち込まれるプレフォームが完全には密閉端部の周辺には配されない場合や、密閉端部には完全にはオーバーラップしない場合に有利である。これはまた、もし押し出されたシート状のプレフォームが巻き取られて、それらの端部領域で材料の厚みが変化する場合に好適である。弾性密閉手段は、そのような材料の厚みのばらつきを好適な方法で補う。
【００１５】
本発明のブロー成形金型装置の特に好ましい構造の場合、密閉部はその弾性を利用して能動的に変形できるもの、さらに好ましくは空圧で伸張できる（膨らますことのできる）ものであることができる。ブロー成形金型が他方に対して閉じる際に、もし仕上げの中空体を形成するように形成されたシェルを合わせて融着することが対応する型締め力を与えることで行われるように意図されるならば、再度密閉部をつぶすことは利点がある。本発明の装置は、ブロー成形金型装置の型締め力が成形挿入部の対応する閉める端部によって続けて与えられ、それによって周辺の、可能ならば３次元の接合継ぎ目を完成品の上に形成する。
【００１６】
更に好ましくは、型支持部は実質的に閉じた、好ましくは箱状で、型挿入部を囲んでなるものであり、型挿入部とプラテンの間の少なくとも１つの閉じたチャンバーを定める。型挿入部と型支持部の間にそれぞれ形成されるのは真空チャンバー又はキャビティであり、それにより型挿入部のキャビティを負圧とすることが可能である。
【００１７】
型支持部は、型挿入部について密閉する機能を有する横方向の開口部を有していても良い。これらの開口部を介して例えばパワーライン（水、空気、空圧、電気）を通すようにすることもできる。
【００１８】
本発明のブロー成形金型装置の特に好ましい構造の場合、中央金型の密閉端部は、閉じる動作の際に若しくはその反動で出没動作できるように配設されている。
【００１９】
例えば、もし内部部品の容器が中央金型に配される場合、該中央金型の密閉端部の出没動作は行程若しくは結合パスを作るのに使用されることができ、それにより容器に配された内部部品をブロー成形金型装置のキャビティに配されたシェルに結合させることを可能とし、例えば、ブロー成形金型が閉じた時に密閉端部が同時に引っ込むようにされる。
【００２０】
本発明が基礎とされる目的は、ブロー成形金型装置を用いて押出ブロー成形の樹脂製品を生産する方法であって、型締め装置を有する少なくとも１つの型締めフレームと、少なくとも２つのブロー成形金型を有し、特に上述のタイプのブロー成形金型装置を用いるものであって、該方法は、少なくとも１つのプレフォームを熱可塑性樹脂材料から押出し、少なくとも２つの中間生成物をシェルの形状で形成して該シェルを閉じ好ましくは３次元周辺継ぎ目を備えて実質的に閉じた中空体を形成し、該シェルがそれぞれの場合、周辺カラー部と共に形成され、該周辺カラー部は実質的に排他的に１つの平面内で該製品の周辺部を越えて前記継ぎ目の外側に伸張してなることを特徴とする方法により達成される。
【００２１】
樹脂製品若しくは中空体の３次元の周辺継ぎ目は、この発明の目的においては、タンクの半分のシェルの実際の結合継ぎ目は、例えば燃料タンクのような中空体の複雑なデザインに応じて、排他的に１つの平面に延長されるものではない。しかしながら、これに比較して、一緒に融着された半分のシェルの周辺カラー部は１つの平面で周回するように形成され、本発明によるブロー成形金型装置の比較的に簡素なデザインを可能とさせる。
【００２２】
本発明の方法の有益な変形例としては、シェルが形成された際、ブロー成形金型装置のキャビティは周辺カラー部若しくは継ぎ目の外側で密閉されるように構成できる。
【００２３】
その応用により、例えば、燃料タンクの形成の場合では、多分に完成した物品上に配される周辺カラー部は、ブロー成形金型装置から取り除かれた後に対応する仕上げにより取り除かれても良い。例えば、もし燃料タンクが熱可塑性樹脂により本発明の方法で本発明のブロー成形金型装置を用いて生産される際には、該タンクは小規模の生産や試作品やサンプルの生産にさえ顕著に好適なものとなる。
【００２４】
該方法の１つの変形例は、内部部品を融着前にシェルの互いに向き合う壁に結合させる点で区別されるものである。
【００２５】
内部部品の結合は、例えば、型締めフレームの閉じる動作を利用して、特に中央金型の密閉端部が型締めフレームの閉じる動作の際に若しくはその反動で出没自在に形成されるようなブロー成形金型装置を使用するときに、行うことができる。
【図面の簡単な説明】
【００２６】
本発明は、図面に表される例示的な実施形態を基礎に以下に説明される。
【図１】本発明によるブロー成形金型装置を通した断面図であり、概略的で大きく簡素化した形式のものである。
【図２】図１に対応した図であり、プレフォームが中央金型とブロー成形金型の間に挟持されている図である。
【図２Ａ】型支持部の密閉端部と型挿入部の閉じる端部の拡大図であり、最初の閉じ込み時の前記ブロー成形金型装置の型印象の密閉を示す図である。
【図３】生産すべき製品のシェルを形成した際の前記ブロー成形金型装置の図１及び図２に対応した図である。
【図３Ａ】型支持部の密閉端部と型挿入部の閉じる端部の拡大図であり、最初の閉じ込み時の前記ブロー成形金型装置の型印象の密閉を示す図である。
【図４】前記ブロー成形金型装置の完成した製品を示す図である。
【図４Ａ】型支持部の密閉端部と型挿入部の閉じる端部の拡大図であり、シェルを一緒に融着する目的で前記ブロー成形金型装置を閉じるところを示す図である。
【図５】前記ブロー成形金型装置から完成した製品を取り出すところを示す図である。
【図５Ａ】型支持部の密閉端部と型挿入部の閉じる端部の拡大図であり、シェルを一緒に融着する目的で前記ブロー成形金型装置を閉じるところを示す図である。
【図６】型支持部とその上に配設される２つの交換可能な型挿入部と共にプラテンを概略的に示す図である。
【図７】燃料タンクの形式の生産されるべき製品の概略側面図である。
【図８】内部部品を生産されるべき製品の内壁に結合させる間における本発明のブロー成形金型装置の模式図である。
【図９】本発明のブロー成形金型装置を通した断面図である、中央金型が出没自在な密閉先端部を伴う中央金型を示す図である。
【図１０】型挿入部なしで、本発明によるブロー成形金型装置の半分の斜視図である。
【発明を実施するための形態】
【００２７】
本発明のブロー成形金型装置１は、２つのプラテン３と通常のロック装置４を備えた型締めフレーム２と、中央金型としての参照符号５で与えられた中央フレーム５とを有する。
【００２８】
プラテン３にそれぞれ配設されているのは型支持部６と該型支持部に受けられた型挿入部７である。型挿入部７はそれぞれ燃料タンク９の形状の樹脂製中空体を形成するためのキャビティ８を形成する。
【００２９】
型支持部６はそれぞれ型挿入部７の箱状の容器として形成される。中央フレーム５は同様に箱状フレームとして形成される。それぞれの場合、型支持部６は周辺密閉端部１０を形成し、以下に説明されるように、該周辺密閉端部１０は中央端部５の密閉端部１１と共に動作する。
【００３０】
参照符号１２が与えられているのは、押出ダイヘッドであり、ブロー成形金型装置１の上に配列され、熱可塑性樹脂材料を可塑化させる、図示しない、押出機が接続される。巻き取り形式で２つのシート状のプレフォーム１３は連続的に押出ダイヘッド１２からスロットダイを介して重力の方向に押し出される。これらのプレフォームは、例えば図１に示すように開いたブロー成形金型装置１に、それぞれの場合、開いた型支持部６と中央フレーム５の間に押出される。ブロー成形金型装置１は、押出ダイヘッド１２について移動できるように構成される。または、プレフォーム１３を異なる場所で押出し、マニピュレーターによってブロー成形金型装置１の開いた部分の間にそれらを持ち込むようにすることもできる。プレフォームは、例えば、少なくとも１層のEVOH若しくはポリアミド系の内側バリヤ層を有するHDPE系の多層押出物からなる。
【００３１】
上述の例示的な実施形態においては、型締めフレーム２は押出ダイヘッド１２に対して移動できるものとされている。型締めフレーム２とプラテン３により、型支持部６及びその中に配された型挿入部７は閉じる動作の向きで一緒に及び離れて移動可能とされる。中央フレーム５はプラテン３により行われる開閉動作に関して横方向に移動することができ、図面ではその平面に出入りする。
【００３２】
それぞれ製品を形成するための少なくとも１つのキャビティ８を形成する型挿入部７は、それぞれの場合、型支持部６に取り外し可能な方法で挿入され、型支持部６の内部でそれぞれの背後に真空室１４を形成し、該真空室１４は空にされていると共に電気及び空圧ラインを保持するものとされる。全ての動力供給ライン、すなわち、水、空気、油圧、空圧、電気信号のためのケーブルは、この真空室１４の内部をめぐるものとされる。
【００３３】
図１０に示すように、型支持部６についての側部に配されているのは開口部１５であり、その中には電源供給、油圧及び電気、及び空圧の軸受部が密閉する方法で挿入されている。
【００３４】
型支持部６に特に配設されているのは詳細には説明しないが真空分配器であり、これにより真空室１４の全体が真空にされ、型挿入部７の対応する真空孔及び真空チャンネルを介してキャビティ８が真空とされる。
【００３５】
型挿入部７は支持要素１６の上の真空室内に搭載される。
【００３６】
型支持部６の周辺密閉端部１０及び中央フレーム５の密閉端部１１の両方とも単一平面に排他的に延長され、それ故、本発明の目的において定義される２次元の輪郭を有する。型支持部６は実質的に箱状の形状であり、中央フレーム５は、型支持部６と当接する、対応した箱状の形状を有する。型挿入部７はそれぞれ周辺閉成端部２８を有し、それぞれ型支持部６の密閉端部１０を越えて多かれ少なかれ突出若しくははみだしており、型挿入部７の周辺閉成端部２８が中央フレーム５に多かれ少なかれ入る限りにおいては、中央フレーム５に対する型支持部６の密閉の問題が現れることはない。閉成端部２８は３次元の結合端部を定義し、完成品の継ぎ目２５の輪郭を定義する。
【００３７】
図８に例示の方法で模式的に示したように、中央フレーム５に配設されているのは少なくとも１つの部品別の部品キャリア１７であり、図８に示す本発明のブロー成形金型装置１の変形例においては、まだ以下に説明されるように、空圧結合シリンダー１８を有し、それと内部部品１９が生産される製品の内壁に結合される。
【００３８】
本発明のブロー成形金型装置１の基本的な動作原理は実質的に以下の通りである、
【００３９】
図１に既に示したように、最初にプレフォーム１３はブロー成形金型装置の開いた部品間に導入され、開いた型支持部６と中央フレーム５の間でそれらの全体の長さに亘って延長される。次いでブロー成形金型装置１が閉じられ、すなわちプラテン３とそれらの上に位置する型支持部６が中央フレーム５に対して閉じられて、型支持部６の密閉端部１０が中央フレーム５の両側の密閉端部１１と当接する。型支持部と中央フレームの密閉端部１０、１１の両方とも膨脹可能な樹脂製周辺密閉部２０を伴う構成とすることができ、該密閉部２０はプレフォーム１３が周辺密閉端部１０、１１に対して完全には載置されない場合や完全にはオーバーラップしない場合には閉じたブロー成形金型装置１の密閉を行うことになる。
【００４０】
図２には閉じたブロー成形金型装置１を示す。ブロー成形金型装置１が閉じられた際、プレフォーム１３は押出ダイヘッド１２の下部で切り離される。追加的若しくは代替的に、押出ダイヘッド１２の下部でのプレフォーム３の切り離しは、道具により、例えばホットカッター若しくはその他のもので行うようにすることもできる。
【００４１】
ブロー成形金型装置１内のプレフォーム１３は、図３に示すように、型挿入部７に亘って負圧を与えることでキャビティ８内に引き込まれる。型挿入部７の真空化は型挿入部７の背後の真空室１４を介して行われる。プレフォーム１３はそれにより２つのシェル２１に形成され、同時に或いはさらなる製法工程で内部部品１９と共に配設される。
【００４２】
ブロー成形金型装置１の密閉は金型自体によって以前よりも異なって行われ、すなわち型支持部６と中央フレーム５によって行われ、結果として２次元の周辺密閉端部が形成される。型支持部６と中央フレーム５によって提供される輪郭を離れ、型挿入部７は、図６、７に例示する方法で示すように、シェル２１のための３次元結合端部２２を決定することも可能である。
【００４３】
本発明の方法の変形例によれば、シェル２１の形成直後にブロー成形金型装置１を再度開いて型支持部６および型挿入部７の間の中央フレーム５を取り除くことができ、すなわち図面の平面について出し入れする方向に移動させても良い。例えば、この方法で開かれた型印象内のシェル２１のアクセス可能な内側壁に内部部品１９を結合させることは可能となる。この点において、シェル２１は未だ溶融した状態とされ、例えば内部部品１９はシェル２１の互いに向き合った内壁若しくは内側部に融着され得る。
【００４４】
前記方法のもう１つの変形例においては、図８に示されるように、中央フレーム５内に結合シリンダー１８と嵌合する１つ若しくは複数の部品キャリアを配するようにしても良い。該方法における当該変形例の場合、シェル２１の形成直後に、内部部品と嵌合する結合シリンダー１８を延長させ、内部部品１９がシェル２１の内壁まで持ち込まれ、例えば、リベット打ちや融着などにより、そこで結合させることも可能である。
【００４５】
次いで、結合シリンダー１８は収納され、ブロー成形金型装置１は開かれる。最後の工程では、当該製法の両変形例の場合も同一であるが、ブロー成形金型装置１のブロー成形金型若しくはプラテン３は一緒に移動する。ブロー成形金型装置１が閉じられると、シェル２１のフリンジ状の周辺カラー部２３が互いに当接するように運ばれ、可能であれば型支持部６の密閉端部１０により、また可能であれば部分的に一緒に融着されるようにされる。もし、密閉端部１０は周辺弾性密閉部２０と共に配設される場合、先に弾性密閉部２０に空気を入れることも可能である。完成した中空体若しくは製品を形成するためシェル２１を結合し或いは閉じることが、ブロー成形金型装置を閉じた際に一緒に移動する型挿入部の閉成端部２８によって行われる。
【００４６】
ブロー成形金型装置１から取り除かれた完成品は、燃料タンク９（図５参照）の形状であり、押出ダイヘッド１２の下部から除かれているブロー成形金型装置１から上方向に取り外される。
【００４７】
図７は完成した燃料タンク９の構造を例示の方法で示すものであり、型挿入部７により決定される、およそ２次元に延長された周辺カラー部２３と３次元周辺継ぎ目２５を有する。
【００４８】
図９に示す本発明のブロー成形金型装置１の変形例においては、中央金型はそれぞれ出没可能なフレーム２６を周辺に配設しており、該フレーム２６はそれぞれ出没可能な密閉端部１１を形成する。中央フレーム５内に配されるのは、固い結合ユニット２７であり、それぞれ内部部品１９に嵌合する。結合ユニット２７の数や構造はシェル２１内の内部部品１９の後の位置に対応したものとされる。
【００４９】
型支持部６は最初に延長されたフレーム２６に対して閉じられる。次いで、プレフォーム１３は負圧を与えることでキャビティ８に当接するようにされる。次の工程では、フレーム２６は収納され、型支持部６は対応したパスによって閉じられて、このような行程動作によって内部部品１９はシェル２１に結合される。フレーム２６はまた金型の閉じる動作によっても受動的に収納されても良い。次いで、ブロー成形金型装置１は開かれ、中央フレーム５は閉じる動作に関してブロー成形金型装置１から横方向に取り除かれ、次いで、ブロー成形金型装置１は再度閉じられる。
【符号の説明】
【００５０】
１  ブロー成形金型装置
２  型締めフレーム
３  プラテン
４  ロック装置
５  中央フレーム
６  型支持部
７  型挿入部
８  キャビティ
９  燃料タンク
１０  密閉端部
１１  密閉端部
１２  押出ダイヘッド
１３  プレフォーム
１４  真空室
１５  開口部
１６  支持要素
１７  部品キャリア
１８  結合シリンダー
１９  内部部品
２０  弾性密閉部
２１  シェル
２２  結合端部
２３  カラー部
２５  継ぎ目
２６  フレーム
２７  結合ユニット
２８  閉成端部
【図１】
2013530857.tif 000003
【図２】
2013530857.tif 000004
【図２Ａ】
2013530857.tif 000005
【図３】
2013530857.tif 000006
【図３Ａ】
2013530857.tif 000007
【図４】
2013530857.tif 000008
【図４Ａ】
2013530857.tif 000009
【図５】
2013530857.tif 000010
【図５Ａ】
2013530857.tif 000011
【図６】
2013530857.tif 000012
【図７】
2013530857.tif 000013
【図８】
2013530857.tif 000014
【図９】
2013530857.tif 000015
【図１０】
2013530857.tif 000016
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
樹脂製品を生産するブロー成形金型装置であって、型締め装置を有する少なくとも１つの型締めフレームと、該型締めフレームの開閉動作によって一体に若しくは別々へと移動されるように形成され、前記樹脂製品を形成するための少なくとも１つのキャビティをそれぞれ有した少なくとも２つのブロー成形金型とを有してなり、  前記型締め装置は、それぞれ少なくとも１つの型支持部を有し、該型支持部内に型挿入部がそれぞれの場合に交換可能に挿入され、前記型支持部はそれぞれ周辺密閉端部を形成し、  少なくとも１つの中央金型を有し、該中央金型は前記ブロー成形金型の開閉動作に関して横方向に移動することができ、前記型支持部の密閉端部に密着されるものとされ、シェル状の少なくとも２つの中間生成物を形成することができ、  前記型挿入部は対応して形成された閉成端部若しくは摘まみ端部を有し、前金型の更なる閉じる動作のときに前記シェルを一緒に融着して完成中空体を形成させることを特徴とするブロー成形金型装置。
【請求項２】
請求項１記載のブロー成形金型装置であって、前記型支持部の密閉端部は閉じる動作に垂直な平面で排他的に延長されることを特徴とするブロー成形金型装置。
【請求項３】
請求項１若しくは請求項２のいずれかに記載のブロー成形金型装置であって、前記中央金型はそれぞれ１つの面内に延長され型支持部の密閉端部と共に動作する少なくとも２つの周辺密閉端部を有してなることを特徴とするブロー成形金型装置。
【請求項４】
請求項２記載のブロー成形金型装置であって、前記中央金型は箱状のフレームとして形成され、好ましくは少なくとも１つの部品キャリアを有することを特徴とするブロー成形金型装置。
【請求項５】
請求項１若しくは請求項４記載のいずれか１項に記載のブロー成形金型装置であって、前記型支持部及び／又は前記中央金型はそれぞれ周辺弾性密閉部を有することを特徴とするブロー成形金型装置。
【請求項６】
請求項５に記載のブロー成形金型装置であって、前記密閉部は弾性を利用して能動的に変形され、好ましくは空圧で伸張し得るものであることを特徴とするブロー成形金型装置。
【請求項７】
請求項１若しくは請求項６記載のいずれか記載のブロー成形金型装置であって、型支持部は実質的に閉じられて形成され、好ましくは箱状とされ、型挿入部を囲み、該型支持部は好ましくは少なくとも１つの各型挿入部の背後の閉じたチャンバーを形成することを特徴とするブロー成形金型装置。
【請求項８】
請求項１若しくは請求項７記載のいずれか記載のブロー成形金型装置であって、前記中央金型の密閉端部は閉じる動作の際に若しくはその反動で出没動作できることを特徴とするブロー成形金型装置。
【請求項９】
ブロー成形金型装置を用いて樹脂製品を生産する方法であって、型締め装置を有する少なくとも１つの型締めフレームと、少なくとも２つのブロー成形金型を有し、請求項１乃至請求項９のいずれか1項に従うブロー成形金型装置を用いるものであって、  少なくとも１つのプレフォームを熱可塑性樹脂材料から押出し、少なくとも２つの中間生成物をシェルの形状で形成して該シェルを閉じ好ましくは３次元周辺継ぎ目を備えて実質的に閉じた中空体を形成し、該シェルがそれぞれの場合、周辺カラー部と共に形成され、該周辺カラー部は実質的に排他的に１つの平面内で該製品の周辺部を越えて前記継ぎ目の外側に伸張してなることを特徴とする樹脂製品を生産する方法。
【請求項１０】
請求項９記載の樹脂製品を生産する方法であって、前記シェルが形成された際に、ブロー成形金型のキャビティは前記周辺カラー部若しくは前記継ぎ目の外側で密閉されることを特徴とする樹脂製品を生産する方法。
【請求項１１】
請求項１０記載の樹脂製品を生産する方法であって、前記シェルの融着前に前記シェルの互いに向き合う壁に内部部品を結合させることを特徴とする樹脂製品を生産する方法。
【請求項１２】
請求項１０若しくは請求項１１記載の樹脂製品を生産する方法であって、前記内部部品の結合は前記型締めフレームの閉じる動作を利用して行われることを特徴とする樹脂製品を生産する方法。
【国際調査報告】
2013530857.tif 000017
2013530857.tif 000018
2013530857.tif 000019
2013530857.tif 000020
2013530857.tif 000021
2013530857.tif 000022